(57)【要約】      （修正有）【課題】従来言われているエネルギー普遍の法則が単に重力、弱い力、電磁力、核力と四つの力それぞれの中だけと言う概念上の限られた話だけであり、重力の場で核力は発生すると言うエネルギー普遍の法則が破れている自然の現実問題を、重力：弱い力：電磁気力：核力に至るエネルギーを連続的に制御しつつ発生する方法としての装置を提供しようとすることである。【解決手段】モーターを多段にすることにより、既存の技術であるベアリング部を使用しても、各段の回転数と時間の積数を各段掛け合わせ各段Ｎ乗とする先端の時間と回転数との積である加速高速回転を得る。発電の出力側と発電駆動側の入力エネルギーとに於いて重力から核力にいたる電力差が出ることを利用し、１：１のエネルギー発生から１：１０の３８乗倍の核力に至る迄のエネルギーを駆動側の回転数を制御することにより自在に得る。【選択図】図１
2005130679.tif 000002
【特許請求の範囲】
【請求項１】
重力場で閉じた四つのゲージ場であるエネルギー普遍を、普遍を超える核力にいたる自然のエネルギーとして、多段電磁起力を使用して発生させる方法
【請求項２】
駆動モーターのモーター内部発電に因る発電抵抗をプラスマイナス逆転させ、駆動方向に向け、電気抵抗を無くし常温超伝導状態とする方法
【請求項３】
同軸上で親モーターの回転子に子モーターを載せ子モーター出力回転子に孫モーターを載せ孫モーター出力回転子に曾孫モーターを載せる多段一機とする電動モーター駆動方法及び逆回転する多段電動モーター一機どうしを同軸上で向かい合わせに保持する方法
【請求項４】
中間電動モーター固定子が回転し出力軸回転子となる多段電動モーター
【請求項５】
同軸上親モーター回転子に子モーターを載せ子モーター出力軸回転子に孫モーターを載せ孫モーター出力軸回転子に曾孫モーターを載せ曾孫モーターが出力軸である多段電動モーター
【請求項６】
中間固定子が回転し出力軸となる多段電動発電機
【請求項７】
同軸上多段電動モーター出力軸回転子の先が発電機である多段電動発電機
【請求項８】
同軸上逆転する多段電動モーター二機を向かい合わせ出力軸がフライホイールである電動モーター
【請求項９】
同軸上で一段目モーター固定子支持と多段目発電機のコイル支持が同体である多段電動発電機
【請求項１０】
同軸上で一段目電動モーター回転子と二段目電動モーター回転子と二段目出力軸回転子と三段目電動モーター回転子と三段目出力軸回転子と多段目電動モーター回転子と多段目出力軸回転子が同回転方向とする駆動方法
【請求項１１】
同軸で一段目回転子と二段目回転子の軸が一体であり、互いの回転子コイル内の磁束と電流の流れが逆である多段モーター
【請求項１２】
多段モーター整流をブラシレスモーターとする多段モーター
【請求項１３】
出力軸回転子、あるいは固定子と回転子の電源伝達方法が固定子鉄心に巻いたコイルに交番電流を用いて回転子鉄心に巻いたコイルに通電するブラシレス電源伝達方法及び装置
【請求項１４】
同軸上同円盤上で多段である電動モーター及び電動発電機
【請求項１５】
同軸上軸方向に連なる一次元多段電動モーター及び同軸同円盤上で連なる二次元多段電動モーター及び二次元多段モーターが一次元同軸方向に連なる三次元多段モーター及びその組み合わせである多次元多段電動モーターと多次元多段電動発電機
【請求項１６】
同軸上多段電動モーターが駆動用と発電用と両用を成す方法及び装置。
【請求項１７】
多次元多段モーターの電力供給が回転する出力軸回転子から回転子に供給する方法及び装置。
【発明の詳細な説明】
【技術分野】
【０００１】多段駆動高速回転電動モーター及び発電
【背景技術】
【０００２】従来の電動モータの回転数は早くても毎秒１０００回転どまりである、又発電も火力発電のように入力エネルギーの半分止まりの効率か、あるいは一足飛びに核力による原子力発電である。又回転軸を保持するベアリングも毎秒１０００回転止まりである。又エネルギー普遍を超える核融合に由るエネルギー発生も爆弾止まりである。  又超伝導も常温では出来ていない。
【発明が解決しょうとする課題】
【０００３】本発明は重力から核力に到るエネルギーの発生を多段電動モーターに拠り自在にコントロールすることを課題としている。又高速回転軸受けの摩擦を０にすることを課題としている。多段モーターの駆動装置の構造を単純簡単にすることを課題としている。大型発電機を小さく簡単にすることを課題としている。電磁モーターが駆動すると同じモーター内で発電も起こり、電流の流れ方向が逆流し、回転子が無動力で等速運動するのを抵抗している、この抵抗である発電電流方向を回転促進する電流方向に変換することを課題としている。遠心力により破壊限界に加速回転する回転子を等速回転にすることを課題としている。余剰エネルギーを電力に変えることを課題としている。回転のブレを無くす事を課題としている。
【課題を解決する為の手段】
【０００４】発電機を駆動する駆動用モーターを同軸上二段にすることにより互いの回転数と時間を掛け合わせる容易な高速回転モーターを得ることが出来る。二段モーターを一段モーターから眺めると時間と回転数が二乗と多い、モーター本体と回転子のベアリング部の摩擦は在来技術である、一段目の回転子と回転数で同じである二段目の本体と二段目の回転子とのベアリング部での摩擦も在来技術でよい、これにより一段目回転数と時間の積を二乗する回転数まで二段目で引出すことが可能である。又逆転する多段モーター二機を向かい合わせにすることにより、高速回転ベアリング部を同回転数とすることが出来摩擦抵抗０を容易に具現することが出来る。多段モーターを駆動するエネルギーはそれぞれ各段のモーター駆動エネルギーの和である、回転数も在来の概念では同じく各段の回転数の和である。しかしながら、これをベアリング限界回転数とする等速運動にいたる加速度運動として捉えると、毎秒のモーターの回転数は地球の一回転、一日６０×６０×２４＝８６４００分の一回転に対する回転数を言うのであり明らかなギアと考えられるからそれぞれ各段のモーターの回転数はそれぞれの段が次元となり、各段のモーター回転数×時間のＮ段乗である。これを等速運動状態にすると高速回転部を一段目より眺める時間の遅れは回転トルクとして出力を印加する。媒介は第一中間子にあたる同軸同回転方向で磁束と電流方向が逆方向の一段目と二段目の回転子コイル。モーターの回転はベアリングの摩擦抵抗と、駆動モーター内自身で発生する発電に拠る起電力が電流を逆流させ回転に対する内部抵抗となる。これを防ぎ電流方向を逆流させればば、回転数は加速度として上がり、等速運動とすれば二段目以降は摩擦抵抗を考慮しなければ消費電力０となる。等速運動以上のトルクである電流と回転数である電圧の効率を  トルクは同じと考えた場合  高速回転でまわる発電機の回転子に対する速度は電圧の効率として加速度系であるから速度＝時間×距離の二乗であり、回転速度が速ければ速いほど電圧効率は爆発的によい。これを実現する多段モーターは一段目での駆動モーター内部発電電流の方向を二段目では二乗の回転数にいたる迄は逆向き、すなわちモーターを駆動する方向に向けることにより具現しようとする。これにより一段目と多段目の回転数の比１＋１＝２実際はモーターの回転数は時間を考慮しなければ歯車と同じであるから２のＮ段乗のエネルギーとして容易に引き出すことが遠心力による物質の破壊内に於いて可能となり、多段モーターを駆動するエネルギー和と多段モーター高速回転部の発電量との差が新しいエネルギー源としての手段として具現した。
【発明を実施するための最良の形態】
【０００５】  多段モーターは容易に駆動モーターの内部発電抵抗を、コイルの巻き方行と回転体の組み合わせに拠り、駆動電流と磁束の方向を逆転させ、発生する内部発電電流は回転を上げる電流方向に向け印加し常温超伝導状態とすることができる、これにより加速度的に回転を上げる以上の電流を加えることを具現する。回転数毎秒１００回転のモーターは既存の技術である。これを親モーターとして回転数毎秒１００回転で回転している子モーターの本体を親モーターが回転させると、子モーターの回転子回転数は１００×１００となり、たとえば１０段迄の回転数に物質引っ張り力が耐えられるとすると１０の２０乗の回転数を得ることが出来る、その上歯車を超える時間の段数乗倍の回転を積数として得ることが出来る。図は子モーターの回転子であるローターを親モーターが回転させ子モーターの本体である固定子を回転子として出力軸とする。これを回転子と固定子と区別するために出力軸回転子と名をつける。固定子に対して回転子は毎秒１００回転するのであり  その回転子により毎秒１００回転する二段目モーター回転子、に対して二段目出力軸回転子は二段目モーター回転子に対して毎秒１００回転するのであり、その二段目モーター回転子は毎秒１００回転するのであるから、二段目出力軸回転子は固定子から眺めると二乗の回転数を得る。回転数と電圧は比例し、電圧と電流は等価であるから、多段先端モーター発電機が一段の状態で１ワットである時その段数乗倍の出力を得ることが出来る。各段のベアリング部毎秒１００回転はエアーベアリングでも可能ですが、多段の高速回転はそれぞれ各段の外側をベアリング部として逆回転同回転数のベアリング部を接する形態にすることにより摩擦抵抗０のベアリング部を具現した。二段目出力軸回転子と一体となる三段目回転子により回転する三段目出力軸回転子に仕事あるいは発電機を回転させると三段目モーター内の相対速度は回転数±１００させる事が出来る。これのマイナス部分を使用すると、三段目内部発電は駆動方向となり、常温超伝導状態を形成する。それにより発生するエネルギーを電動モーター固定子の支持と多段出力軸発電機コイル支持が同じくすることにより発電電流として得る形態が具現した。
【実施例】
【０００６】一段の回転数が毎分６万回転するモーターの多段が二段である回転子に遠心分離機を装着すると毎分３６億回転の遠心分離機が具現する。時間の遅れ１／６０を考慮しても毎秒１．０００．０００回転出せる。ナノメーターの分離も容易である。三段目出力軸に永久磁石回転子を具備しその外側にコイルを固定子と支持を一体として具備し発生する電気をエネルギー出力側とする。磁石とコイルが逆でも可能。図の実施例は三段目出力軸回転子にフライホイールを具備している、フライホイールと連動して発電機を装着駆動しより高次な自家発電が可能となった。電源と整流子をつなぐブラシを無くしブラシレスＤＣモーターとすることで構造がかんたんになり耐久性も出すことが出来た。回転子と固定子あるいは出力軸回転子間の電源伝達方法を互いに装着したコイルに交番電流を流し通電することにより、回転体どうしの接触面を無くしブラシレス化を容易にした。又組み合わせが三次元方向多段モーターとする、組み合わせに拠り小さなモーターから大きなモーターまで共通部品により製作出来、実施の簡素化が可能となった。
【発明の効果】
【０００７】同軸で互いに逆転する多段モーター、図の同軸四段モーター二機のみでも先端高速回転子の軸を２重の軸として中心を出力回転軸とすることも可能、高速回転部をフライホイールとすることによりベアリング部摩擦抵抗０の高速回転オートジャイロを具現することが出来た。二機の三段モーターの間にフライホイールを具備し、その上に磁石を具備し、その外側、あるいは内側にコイルを具備し高次元高出力発電を可能とした。四段一軸一機でも高次元高出力発電は可能である。多段接続電源をコイルによる交番電流とすることで構造は簡単になり耐久時間も飛躍的に向上した。求める電圧と回転数により一段目固定子と多段目を逆にすることも容易である。高次元多段モーターは従来の電磁理論に属さない新しい分野の電磁理論を生み出す。図の一段目のモーターのみの性能はこのモーターの仕事として一段目と同じ重さ１７０グラムの別のモーターを単なる錘りとして取り付け回転させると５Ｖ×１０Ｉ＝５０Ｗ時７．０８１ｒｐｍの回転を得る。次に電源を繋いだ二段で数値を調べると５Ｖ×１．６Ｉ＝８Ｗで時８．９４５ｒｐｍであった。力率６と考えられる。回転子の回転数は８．０８８ｒｐｍ出力軸との回転数の差は８５７回転であった。これは二段目の回転子と出力軸回転子の相対速度８５７回転で４２Ｗの内部駆動発電をしていると取れる。出力軸回転子より回転子に電気をブラシを経由して投入すると、３〜５Ｖで１Ａより以上の電気を受け付けない、回転も１２００ｒｐｍ程度である！この出力軸回転子に、同電圧同電流で１００ｇｍの錘をつけて回転させる、回転は４７００ｒｐｍに上がる、三段目の磁石、重量１．１Ｋｇも軽がると回転させることが出来る。多段モーターをブラシレスＤＣ  モーターとすることによりソフト管理が安易にもなった。
【図面の簡単な説明】
【０００８】
【図１】  本発明の同軸回転軸とする四段モーター二機は模型レーシングカート用モーターとオートバイの発電機部品を使用して断面図で図示する。  Ａ  二段目高速回転出力部  Ｔ  クラッチ  Ｂ  二段目可動コイル  Ｋ  四角形内は電磁気力による発電方向、二段目は重力場から見ると回転が遅れれば方向が逆転する。  Ｃ  磁石  Ｄ  一段目整流子  Ｅ  一段目本体  Ｍ  三段目コイル支持  Ｆ  電磁力方向  Ｎ  電源ローター  Ｈ  磁界の方向  Ｏ  電源ブラシ  Ｉ  電流方向  Ｐ  タービンブレード  Ｊ  一段目可動コイル  Ｑ  三段目コイル  Ｇ  フライホイール  Ｒ  三段目磁石  Ｌ  四段目コイル  Ｓ  ブラシガイド  Ｕ  四段目磁石
【図１】
2005130679.tif 000003